【手続補正書】
【提出日】平成17年10月20日(2005.10.20)
【手続補正１】
【補正対象書類名】明細書
【補正対象項目名】全文
【補正方法】変更
【補正の内容】
【書類名】              明細書
【発明の名称】          足底板構造
【特許請求の範囲】
【請求項１】  基板が足底輪郭形状からなる足底板であって、後部に足の踵の輪郭形状に対応して貫通する切欠穴または踵の輪郭形状に対応して左右側部および後部で立設した周壁部からなる踵受部が形成されていることを特徴とする足底板。
【請求項２】  基板が足底輪郭形状からなる足底板であって、後部に足の踵の輪郭形状に対応して貫通する切欠穴または踵の輪郭形状に対応して左右側部および後部で立設した周壁部からなる踵受部が形成されており、前部に足指の筋に対応可能な位置に隆起部が形成されてなることを特徴とする足底板構造。
【請求項３】  基板が足底輪郭形状からなる足底板であって、後部に足の踵の輪郭形状に対応して貫通する切欠穴または踵の輪郭形状に対応して左右側部および後部で立設した周壁部からなる踵受部が形成されており、前部に足指の筋に対応可能な位置に隆起部が形成されており、裏面で足の土踏まずに対応可能な位置に隆起部が設けられてなることを特徴とする足底板構造。
【請求項４】  隆起部が、基板に一体に立設され、または基板に複数設けられた隆起部取付用ガイドと選択された隆起部取付用ガイドに接着される押圧突体とからなっていることを特徴とする請求項１、２または３に記載の足底板構造。
【請求項５】  隆起部取付用ガイドが凹部からなっており、隆起部が底面に接着層を有して上記凹部に嵌め込まれて接着され、頂部が凹部の高さよりも高く外方へ突出する高さに設定されてなることを特徴とする請求項４に記載の足底板構造。
【請求項６】  足底板の前部に形成された隆起部取付用ガイドが、幅方向に３つ略等間隔に配置されると共に長手方向に３列配置されており、所望の隆起部取付用ガイドを選択して隆起部を取り付けうることを特徴とする請求項４または５に記載の足底板構造。
【発明の詳細な説明】
【０００１】
【発明の属する技術分野】
この発明は足の姿勢を正しく保つことができる足底板構造に関する。
【０００２】
【従来の技術】
人がランニングする際には、足部が回内し、アーチが下降し、下腿が内旋し、大腿は外旋することが知られており、足部の回内を抑えると下腿の内旋も抑えることができる。
そこで、本発明者は、踵の姿勢を正すことで下肢の動的アライメントを矯正しうることに基づき本発明を完成するに至った。
また、履物用中敷として、例えば実開昭６１−１７４９３６号や実用新案登録第３０１０９４４号公報では、多数の凹部や通孔と、所望の凹部や通孔に着脱可能なツボ押し用の球や突子を設けた構成が開示されている。
これらはツボ押し位置を足裏全体にわたって自在に設定できるが、いずれもツボ押し用の球や突子だけを用いているので、効果が限られる欠点がある。
【０００３】
【発明が解決しようとする課題】
この発明は上記事情に鑑みて創案されたものであって、その主たる課題は、踵の姿勢を正すことで下肢の動的アライメントを矯正して姿勢を維持することができる足底板構造を提供することにある。
この発明の別の課題は、足指の筋を押して外反母趾を予防し、あるいは治療効果を上げることができる足底板構造を提供することにある。
【０００４】
【課題を解決するための手段】
前記課題を解決するために、請求項１の発明では、
基板が足底輪郭形状からなる足底板であって、後部に足の踵の輪郭形状に対応して貫通する切欠穴または踵の輪郭形状に対応して左右側部および後部で立設した周壁部からなる踵受部が形成されている、という技術的手段を講じている。
また、請求項２の発明では、上記請求項１の構成に加えて、
前部に足指の筋に対応可能な位置に隆起部が形成されてなる、という技術的手段を講じている。
さらに、請求項３の発明では、上記請求項２の構成に加えて
裏面で足の土踏まずに対応可能な位置に隆起部が設けられてなる、という技術的手段を講じている。
請求項４の構成では、
前記隆起部が、基板に一体に立設され、または基板に複数設けられた隆起部取付用ガイドと選択された隆起部取付用ガイドに接着される押圧突体とからなっている、という技術的手段を講じている。
また、請求項５の発明では、
前記隆起部取付用ガイドが凹部からなっており、隆起部が底面に接着層を有して上記凹部に嵌め込まれて接着され、頂部が凹部の高さよりも高く外方へ突出する高さに設定されてなる、という技術的手段を講じている。
請求項６の発明では、
前記足底板の前部に形成された隆起部取付用ガイドが、幅方向に３つ略等間隔に配置されると共に長手方向に３列配置されており、所望の隆起部取付用ガイドを選択して隆起部を取り付けうる、という技術的手段を講じている。
【０００５】
【発明の実施の形態】
以下にこの発明の足底板構造の好適実施例について図面を参照しながら説明する。
図１および図２に示す足底板１は、人の足底輪郭形状を有する扁平材からなる基板２の後部２ａに、踵の輪郭形状が入る程度の略円形の貫通穴からなる踵受部３が形成されている。
この踵受部３は、前方が直線あるいは曲率の大きい円弧状３ａに形成されており、側方３ｂおよび後方３ｃがＵ字状に形成されている。
ここで踵受部３の前方３ａは、垂直に切欠かかれる形状（図２参照）であっても、あるいは後方に向かって漸次薄くなる斜面形状（図１参照）であってもよい。
【０００６】
ここで、基板２の後部２ａの厚みを厚くすれば、踵受部３の穴の高さが高くなり、その周壁が踵と接触する接触面積を広くすることができる。
上記の構成によって、この足底板１の後部２に踵が乗ったときは、図２に示すように、踵が踵受部３の穴の中に沈み込むことになる。
その結果、踵受部３は側方３ｂおよび後方３ｃで略Ｕ字状に踵に接する。
これにより、踵の姿勢が崩れると、踵の輪郭部に沿って環状位置で刺激が加わるので、この反動で、足の回内が抑えられ、アラインメントが矯正されて歩行時の姿勢が正しく維持される。
【０００７】
図示例の場合、踵受部３は穴からなっているが、穴を設けず、踵の輪郭形状の外周を覆うように周壁状に形成されたものでもよい。
即ち、図３に示す足底板１は、その後端の外周に沿って踵受部１３が立ち上がっているので、その側方の周壁部１３ｂおよび後方の周壁部１３ｃに、足の踵の側方および後方とが衝合して、踵と接触しているので、踵の姿勢が崩れると、踵に刺激が加わり、この反動で踵が元の姿勢に復帰し、正しい姿勢を維持するようになっている。
【０００８】
この踵受部３は、前記実施例では穴または周壁の構造としたが、図４に示すように穴からなる踵受部３と周壁からなる踵受部１３を組み合わせた構造でもよい。
これにより、踵の輪郭部を側方および後方でＵ状またはＣ状に接触して、踵の変位に応じて刺激を与えることができるようになっている。
【０００９】
足底板１には基板２上に踵受部３または１３だけを設ける構成であってもよいが、本実施例では、更に隆起部取付用ガイド部５が形成されている。
即ち、図１に示すように、足指の付根部近傍位置２ｂに略円形の盲穴からなる隆起部取付用ガイド部５が形成されている。
この隆起部取付用ガイド部５は、略２〜１５mm厚程度の基板２上に形成された直径５〜１５mm程度の平面円形の盲穴からなっており、幅方向に３つ（３行）略等間隔に配置されると共に長手方向に３つ（３列）配置された合計９個が設けられている。
ここで基板の厚みやガイド部の直径は本実施例に限定されず、適宜の大きさに形成することができる。
【００１０】
一方、指圧用隆起部６は、底面に接着剤層７が形成され、上記盲穴からなる隆起部取付用ガイド部５に整合する円盤体からなっており、該隆起部取付用ガイド部５に嵌め込んだ際に、底面で接着され、頂部５’がガイド部５の高さよりも高く設定されているので、足底板１の基板２表面より高く突出して、ツボ押し用として用いることができる。
この指圧用隆起部６を前記９個のマトリックス状の隆起部取付用ガイド部５の所望の箇所に貼付する。
この位置は、足底板１を使用する足の大きさや形状に応じて、足の指の筋を押圧するのに最適な箇所が選択される。
【００１１】
本実施例で隆起部取付用ガイド部５は盲穴からなるが、単に丸の図形を描いたものであってもよい。あるいは、公知構成のように貫通穴とし、これに指圧用隆起部となるツボ押し用の突子を着脱可能に嵌め込む構成であってもよい。
また、指圧用隆起部６は足底板１と一体に形成されるものでもよい。
この指圧用隆起部６の材質は、本実施例では円盤状のフェルト材を用いているが、合成樹脂材や磁性体などの金属、あるいはこれらの組み合わせ等、要するに足で踏まれた際に、その部分が足底板１よりも突出して足に刺激を与えることができれば、その素材は特に限定されない。
【００１２】
また、本実施例では足底板１の基板２は扁平プレート状からなっているが、予め足裏形状に沿わせて湾曲させたものでもよい。
また、図５に示す足底板１では、図３で示した実施例の足底板１の基板２の裏面で足の土踏まずに対応可能な位置４に、隆起部１６を着脱可能な土踏まず用隆起部取付用ガイド部１５が形成されている。
即ち、基板２の裏面で、前記隆起部取付用ガイド部５の後方位置で左右両側に土踏まず用隆起部取付用ガイド部１５が形成されている。
【００１３】
この土踏まず用隆起部取付用ガイド部１５は、前記隆起部取付用ガイド部５と同様に盲穴からなって、複数列が形成されており、その全てまたは一部に位置決めされて隆起部１６が接着される。
これにより、靴の底面に敷設された際に、基板の土踏まず部分の左右側方を隆起させることができる。
従って、従来の基板を湾曲形成したものに比べ、隆起部によって基板の一部を持ち上げるので強度が強く、繰り返し負荷がかかっても一定の隆起を維持することができる。
【００１４】
この場合、土踏まず用隆起部取付用ガイド部１５は盲穴からなっているので基板表面に隆起部１６が突出することがない。
また、盲穴に代えて単に丸の図形を描いたものであってもよい。
更に、足底板１は、靴の内に挿脱自在な中敷きとした場合を例示したが、靴の底面にそのまま一体に形成するものであってもよい。
図６は、図１の実施例の足底板１に土踏まず用隆起部取付用ガイド部１５を設けたものである。
ここでこれらのガイド部が設けられた箇所の上面には基板２の側部を隆起させやすくするための折曲げ線８を設けてもよい。
その他、要するにこの発明の要旨を変更しない範囲で種々設計変更しうること勿論である。
【００１５】
【発明の効果】
この発明は上記のように構成されているので、足の踵形状に対応した切欠穴または踵形状に対応してこれの外側を覆う周壁からなる踵受部で踵の側方と後方を覆い、踵の変位で刺激を与えることにより下肢の動的アラインメントを正しく矯正することができる。
また、これと同時に、隆起部で足指の筋を押圧することにより外反母趾を予防しまたは治療上の効果をあげることができる。
更に、足底板の底面で足の土踏まずの対応箇所に隆起部を設けることにより、土踏まずの反りを維持することができる。
【図面の簡単な説明】
【図１】
この発明の実施例の足底板の平面図である。
【図２】
同足底板の縦断側面図である。
【図３】
別の実施例の足底板の縦断側面図である。
【図４】
異なる実施例の足底板の縦断側面図である。
【図５】
更に別の実施例の足底板の縦断側面図である。
【図６】
別の実施例の足底板の平面図である。
【符号の説明】
１            足底板
２            基板
３            踵受部
４            隆起部取付用ガイド部
６            隆起部
１５          土踏まず用隆起部取付用ガイド部
１６          隆起部